(57)【特許請求の範囲】
【請求項１】
ディスクに記録された情報を読み取るディスク再生装置であって、
載置したディスクを駆動させるディスクユニットと、
前記ディスクユニットの上部を覆う開閉蓋と、
前記開閉蓋の開放に伴い、前記開閉蓋によって一方の端部が押圧され他方の端部が前記ディスクユニットを押圧して傾斜させるアームと、
前記アームの押圧によって傾斜した前記ディスクユニットを保持するインシュレータと、
を備えることを特徴とするディスク再生装置。
【請求項２】
ディスクに記録された情報を読み取るディスク再生装置であって、
ディスクを載置するターンテーブルを含み、ディスクを駆動させるディスクユニットと、
所定の開閉軸により開閉自在に枢支され、前記ディスクユニットの上部を覆う開閉蓋と、
前記開閉蓋を所定方向に向けて付勢する弾性部材と、
所定の回動軸により回動自在に支持され、前記弾性部材により付勢された開閉蓋の開放に伴い、前記開閉蓋端部の突起によって一方の端部が押圧されると他方の端部が前記ディスクユニットの一方の端部を押圧するアームと、
前記アームの押圧に伴って所定方向に向けて傾斜した前記ディスクユニットを保持するインシュレータと、
を備えることを特徴とするディスク再生装置。
【請求項３】
載置したディスクを駆動させるディスクユニットを所定方向に向けて傾斜させる傾斜機構であって、
端部に突起が形成され、ディスクユニットの上部を覆う開閉蓋と、
前記開閉蓋の開放に伴い、前記開閉蓋端部に形成された突起によって一方の端部が押圧され他方の端部がディスクユニットを押圧して傾斜させるアームと、
載置したディスクとシャーシとの間隔が、前記アームの押圧によって所定距離に拡大するまで傾斜したディスクユニットを保持するインシュレータと、
を備えることを特徴とする傾斜機構。
【請求項４】
ディスクを載置するターンテーブルを含み、ディスクを駆動させるディスクユニットを所定方向に向けて傾斜させる傾斜機構であって、
所定の開閉軸により開閉自在に枢支され、当該開閉軸側の端部に突起が形成されて、ディスクユニットの上部を覆う開閉蓋と、
前記開閉蓋を所定方向に向けて付勢する弾性部材と、
所定の回動軸により回動自在に支持され、前記弾性部材により付勢された開閉蓋の開放に伴い、前記開閉蓋端部に形成された突起によって一方の端部が押圧されると他方の端部がディスクユニットの一方の端部を押圧するアームと、
載置したディスクとシャーシとの間隔が、前記アームの押圧に伴って所定距離に拡大するまで傾斜したディスクユニットを保持するインシュレータと、
を備えることを特徴とする傾斜機構。
【発明の詳細な説明】
【０００１】
【発明の属する技術分野】
本発明は、ＣＤ（コンパクトディスク）等を再生するディスク再生装置に関し、特に、ターンテーブル等に載置したディスクを容易に取り出すことのできるディスク再生装置及び傾斜機構に関する。
【０００２】
【従来の技術】
従来より、ＣＤラジカセやＣＤコンポ等に代表されるディスク再生装置が広く利用されている。このようなディスク再生装置は、ＣＤ等のディスクをターンテーブル等に載置し、載置したディスクに記録されたデータを光ピックアップにより読み出して再生する。
ディスク再生装置には、ターンテーブル等を含むディスクユニットと、ディスクユニットを覆う開閉蓋とを装置の上部に配置する構造の装置が数多く知られている。このようなディスク再生装置は、開閉蓋を開けた状態で、利用者がディスクをターンテーブルに載置し、また、載置したディスクを取り出す。
【０００３】
以下、このような従来のディスク再生装置について、図５を参照して説明する。図５は、従来のディスク再生装置における要部の一例を示す断面図である。
図５に示すように、ディスク再生装置は、ターンテーブル１０１ａ及びスピンドルモータ等からなるディスクユニット１０１と、シャーシ１０４によって開閉軸１０２ａを介して開閉自在に枢支された蓋１０２と、蓋１０２に保持され、蓋１０２を閉じた状態でターンテーブル１０１ａ上のディスク１１０を押圧するクランパ１０３とを含んで構成される。
【０００４】
利用者は、ディスク再生装置の蓋１０２を開けた状態で、ターンテーブル１０１ａにディスク１１０を装着し、また、ターンテーブル１０１ａからディスク１１０を取り外す。
【０００５】
【発明が解決しようとする課題】
しかしながら、利用者は、このようなディスク再生装置からディスク１１０を取り出す際に、ディスク１１０を掴みにくく、ディスク１１０の取り出しを容易に行えないという問題があった。
【０００６】
これは、ディスクユニット１０１等の内容物の大きさ及び、装置の大きさ等の制約により、図５に示すディスク１１０とシャーシ１０４との間隔ｄを十分大きく確保できないことに起因する。そのため、利用者は、自己の指をディスク１１０とシャーシ１０４との間隔に挿入することに苦労し、ディスク１１０を上手に掴むことができなかった。
そして、ディスク１１０を上手に掴めないため、ディスク１１０が利用者の手から外れて落下し、ディスク１１０に傷等が付いてしまうという不具合も発生しやすかった。
【０００７】
この発明は、上記実状に鑑みてなされたもので、ターンテーブル等に装着したディスクを容易に取り出すことのできるディスク再生装置及び傾斜機構を提供することを目的とする。
【０００８】
【課題を解決するための手段】
上記目的を達成するため、本発明の第１の観点に係るディスク再生装置は、
ディスクに記録された情報を読み取るディスク再生装置であって、
載置したディスクを駆動させるディスクユニットと、
前記ディスクユニットの上部を覆う開閉蓋と、
前記開閉蓋の開放に伴い、前記開閉蓋によって一方の端部が押圧され他方の端部が前記ディスクユニットを押圧して傾斜させるアームと、
前記アームの押圧によって傾斜した前記ディスクユニットを保持するインシュレータと、
を備えることを特徴とする。
【００１０】
上記目的を達成するため、本発明の第２の観点に係るディスク再生装置は、
ディスクに記録された情報を読み取るディスク再生装置であって、
ディスクを載置するターンテーブルを含み、ディスクを駆動させるディスクユニットと、
所定の開閉軸により開閉自在に枢支され、前記ディスクユニットの上部を覆う開閉蓋と、
前記開閉蓋を所定方向に向けて付勢する弾性部材と、
所定の回動軸により回動自在に支持され、前記弾性部材により付勢された開閉蓋の開放に伴い、前記開閉蓋端部の突起によって一方の端部が押圧されると他方の端部が前記ディスクユニットの一方の端部を押圧するアームと、
前記アームの押圧に伴って所定方向に向けて傾斜した前記ディスクユニットを保持するインシュレータと、
を備えることを特徴とする。
【００１２】
上記目的を達成するため、本発明の第３の観点に係る傾斜機構は、
載置したディスクを駆動させるディスクユニットを所定方向に向けて傾斜させる傾斜機構であって、
端部に突起が形成され、ディスクユニットの上部を覆う開閉蓋と、
前記開閉蓋の開放に伴い、前記開閉蓋端部に形成された突起によって一方の端部が押圧され他方の端部がディスクユニットを押圧して傾斜させるアームと、
載置したディスクとシャーシとの間隔が、前記アームの押圧によって所定距離に拡大するまで傾斜したディスクユニットを保持するインシュレータと、
を備えることを特徴とする。
【００１４】
上記目的を達成するため、本発明の第４の観点に係る傾斜機構は、
ディスクを載置するターンテーブルを含み、ディスクを駆動させるディスクユニットを所定方向に向けて傾斜させる傾斜機構であって、
所定の開閉軸により開閉自在に枢支され、当該開閉軸側の端部に突起が形成されて、ディスクユニットの上部を覆う開閉蓋と、
前記開閉蓋を所定方向に向けて付勢する弾性部材と、
所定の回動軸により回動自在に支持され、前記弾性部材により付勢された開閉蓋の開放に伴い、前記開閉蓋端部に形成された突起によって一方の端部が押圧されると他方の端部がディスクユニットの一方の端部を押圧するアームと、
載置したディスクとシャーシとの間隔が、前記アームの押圧に伴って所定距離に拡大するまで傾斜したディスクユニットを保持するインシュレータと、
を備えることを特徴とする。
【００１６】
【発明の実施の形態】
本発明の実施の形態にかかるディスク再生装置について、以下図面を参照して説明する。
【００１７】
図１は、この発明の実施の形態に適用されるディスク再生装置の要部の一例を示す断面図である。
図１に示すように、ディスク再生装置は、ディスクユニット１と、蓋２と、スプリング３と、クランパ４と、アーム５と、インシュレータ６と、シャーシ７とを含んで構成され、ターンテーブル１ａ上に載置したＣＤ（コンパクトディスク）等からなるディスク１０を再生する。
【００１８】
ディスクユニット１は、ターンテーブル１ａ及びスピンドルモータ等を含んで構成され、インシュレータ６を介してシャーシ７に固定されている。
また、ディスクユニット１は、底部にアーム５の端部５ｃが当接し、そのまま押圧されると、所定の角度まで傾斜する。
なお、ディスク１０をターンテーブル１ａに保持するクランプ方式は、マグネットクランプ方式、ボールクランプ方式等による。
【００１９】
蓋２は、開閉軸２ａを介してシャーシ７により開閉自在に支持されている。蓋２は、スプリング３により蓋２が開く方向（開放方向）に向けて付勢されている。蓋２は、裏面に嵌合されたクランパ４を保持する。
また、蓋２は、開閉軸２ａ側の端部に突起２ｂを備え、蓋２が開く際に、アーム５の端部５ｂと当接し、蓋２の開放に伴いそのまま端部５ｂを押圧する。
【００２０】
スプリング３は、一端がシャーシ７の所定位置に埋設され、他の一端が蓋２の裏面と当接するように配置されている。スプリング３は、所定の弾性力により、蓋２を開放方向に向けて付勢する。
【００２１】
クランパ４は、蓋２の裏面に嵌合され保持されている。クランパ４は、蓋２が閉じた状態で、ターンテーブル１ａ上のディスク１０と当接し、所定の力でディスク１０を押圧する。
【００２２】
アーム５は、端部５ｂ及び端部５ｃを有する略Ｌ字状に成形され、回動軸５ａを介してシャーシ７等により回動自在に支持されている。アーム５は、端部５ｂが蓋２の突起２ｂに押圧されると、回動軸５ａを中心として回動する。その際、アーム５は、端部５ｃがディスクユニット１の底部と当接し、そのままディスクユニット１を押圧する。そして、アーム５は、ディスクユニット１を所定の角度まで傾斜させる。
【００２３】
インシュレータ６は、例えば、括れを有する中空の略円柱状に成形されたゴム等の弾性部材からなり、ディスクユニット１とシャーシ７との間に配置され、ディスクユニット１をシャーシ７に固定する。インシュレータ６は、所定の振動がディスクユニット１に伝達されるのを防止し、更に、アーム５により押圧され傾斜したディスクユニット１を保持する。
【００２４】
以下、本発明の実施の形態に係るディスク再生装置における傾斜動作について図２を参照して説明する。
【００２５】
ディスク再生装置のターンテーブル１ａにディスク１０が載置されている状態で、蓋２を閉塞状態に保持する所定のストッパが利用者により外されると、蓋２は開放を始める。すなわち、蓋２は、スプリング３に付勢され、開閉軸２ａを中心として図中のＡ方向に向けて所定の位置まで回動する。
【００２６】
蓋２が開放されるのに伴い、突起２ｂは、アーム５の端部５ｂと当接し、そのまま端部５ｂを図中のＢ方向に向けて押圧する。
アーム５は、端部５ｂが突起２ｂにより押圧されると、回動軸５ａを中心として回動する。その際、アーム５の端部５ｃは、ディスクユニット１の底部と当接し、そのままディスクユニット１を図中のＣ方向に向けて押圧する。
【００２７】
ディスクユニット１は、アーム５の端部５ｃに押圧されると、所定の角度まで傾斜する。その際、インシュレータ６は、ディスクユニット１の傾斜を保持するように変形し、ディスクユニット１の傾斜を維持する。
このように、ディスクユニット１が傾斜することにより、ディスク１０とシャーシ７との間隔が拡大する。すなわち、図３（ａ）に示す傾斜前のディスク１０とシャーシ７との間隔ｄ１よりも、傾斜後の間隔ｄ２の方が大きくなる。
【００２８】
この結果、利用者は、自己の指を拡大したディスク１０とシャーシ７との間隔に適切に挿入し、ディスク１０をターンテーブル１ａから容易に取り出すことができる。
【００２９】
そして、交換時等にディスク１０を落としてしまうような事故を防ぐことができる。
また、特別複雑な機構を用いることなく、蓋２が開く際の力（スプリング３の付勢力）を用いてディスクユニット１を傾斜させるシンプルな構造であるため、故障等が少ない。
更に、ある程度頻繁に蓋２が開閉されることが予想されるため、インシュレータ６がほぼ規則的に動作することとなり、インシュレータ６の予期しない変形等により、ディスクユニット１が目的位置以外で固定されるのを防止することもできる。
【００３０】
上記の実施の形態では、ディスクユニット１を装置前面に対して傾斜させたが、ディスクユニット１を傾斜させる方向は、任意である。
例えば、図４に示すように、装置背面に対して傾斜させるために、ディスクユニット等をＤ方向に傾斜させたり、また、装置側面に対して傾斜させるために、ディスクユニット等をＥ方向及びＦ方向に傾斜させてもよい。
更に、利用者の使い勝手に応じて、傾斜方向を自由に設定できるようにしてもよい。
【００３１】
上記の実施の形態では、ターンテーブル１ａ上に載置したディスク１０を取り外す場合について説明したが、他の保持部等からディスク１０を取り出す際にも適宜適用可能である。
例えば、ディスクトレイに載置されたディスク１０をディスクトレイと共に傾斜させ、ディスク１０を容易に取り出すことができるようにしてもよい。
【００３２】
また、上記の実施の形態では、ＣＤを再生するディスク再生装置における回転駆動機構について説明したが、再生対象の媒体はＣＤに限られず、他にＤＶＤ（デジタルビデオディスク）等を再生するディスク再生装置に適用可能である。
【００３３】
【発明の効果】
以上説明したように、本発明によれば、ターンテーブル等に載置したディスクを容易に取り出すことができる。
【図面の簡単な説明】
【図１】本発明の実施の形態に係るディスク再生装置の一例を示す断面図である。
【図２】本発明の実施の形態に係るディスク再生装置のディスクユニット等の傾斜の様子を説明するための断面図である。
【図３】ディスクとシャーシとの間隔を示す模式図であって、（ａ）が蓋を閉じた状態の図であり、（ｂ）が蓋を開けた状態の図である。
【図４】ディスク再生装置におけるディスクユニット等の他の方向への傾斜を説明するための斜視図である。
【図５】従来のディスク再生装置の一例を示す断面図である。
【符号の説明】
１    ディスクユニット
１ａ  ターンテーブル
２    蓋
２ａ  開閉軸
２ｂ  突起
３    スプリング
４    クランパ
５    アーム
５ａ  回動軸
５ｂ，５ｃ  端部
６    インシュレータ
７    シャーシ
１０  ディスク
【図１】
0003704457.tif 000002
【図２】
0003704457.tif 000003
【図３】
0003704457.tif 000004
【図４】
0003704457.tif 000005
【図５】
0003704457.tif 000006